(57)【特許請求の範囲】
【請求項１】
紙幣搬送装置の終端部に設置され、当該紙幣搬送装置が搬送してきた紙幣を金種毎に複数のスタッカに分別回収可能に構成された紙幣回収装置において、
前記複数のスタッカの上流側に全金種の紙幣回収が可能な予備スタッカを設け、
前記紙幣搬送装置から受け入れる紙幣の金種を識別する紙幣識別手段を前記予備スタッカの上流側に設け、
前記紙幣識別手段によって金種の識別ができなかった紙幣、および、前記複数のスタッカにおいて紙幣で満杯になったスタッカが発生したときにおける当該スタッカに収納・回収することになっている紙幣が、前記予備スタッカに収納・回収されることを特徴とする紙幣回収装置。
【請求項２】
紙幣搬送装置の終端部に設置され、当該紙幣搬送装置が搬送してきた紙幣を金種毎に複数のスタッカに分別回収可能に構成された紙幣回収装置において、
前記複数のスタッカの上流側に全金種の紙幣回収が可能な予備スタッカを設け、
前記紙幣搬送装置から受け入れる紙幣の金種を識別する紙幣識別手段を前記予備スタッカの上流側に設け、
前記紙幣識別手段から前記予備スタッカおよび前記複数のスタッカのそれぞれまでの搬送路のうち、前記予備スタッカまでの搬送路が最も短く、
前記複数のスタッカにおいては、回収量が多い金種の紙幣が収納・回収されるスタッカの方が、回収量が少ない金種の紙幣が収納されるスタッカよりも、前記紙幣識別手段からの搬送路が短いことを特徴とする紙幣回収装置。
【請求項３】
請求項１において、
前記紙幣識別手段から前記予備スタッカおよび前記複数のスタッカのそれぞれまでの搬送路のうち、前記予備スタッカまでの搬送路が最も短く、
前記複数のスタッカにおいては、回収量が多い金種の紙幣が収納・回収されるスタッカの方が、回収量が少ない金種の紙幣が収納されるスタッカよりも、前記紙幣識別手段からの搬送路が短いことを特徴とする紙幣回収装置。
【請求項４】
遊技機が横並びに配設された遊技島の端部に請求項１ないし３のうちのいずれかの項に記載の紙幣回収装置が設置され、遊技機に併設された台間玉貸機が受入れた紙幣を遊技機の背面側に設置された紙幣搬送装置を介して紙幣回収装置に回収することを特徴とする遊技島。
【発明の詳細な説明】
【０００１】
【発明の属する技術分野】
本発明は、パチンコ島などの遊技島の端部に設置されて紙幣を回収する装置に関するものである。
【０００２】
【従来の技術】
図５に例示したように、複数台のパチンコ遊技機１を横並びに配設した最近のパチンコ遊技島１０においては、遊技客が離席することなく貸し玉の払い出しができるように、パチンコ遊技機１それぞれの側方に台間玉貸機２が設置されている。
【０００３】
そして、遊技客が台間玉貸機２に紙幣を投入し、所用の操作を行うことで、所定の数のパチンコ玉が払い出されるようにしてある。また、台間玉貸機２に投入された紙幣を回収する紙幣搬送ライン３がパチンコ遊技島１０の内部に設けられており、パチンコ遊技島１０の端部に設置した紙幣回収装置２０へ前記紙幣搬送ライン３から紙幣が送り込まれるようにしてある。
【０００４】
紙幣回収装置２０においては、紙幣搬送ライン３により回収した紙幣を溜め置くためのスタッカ２１と、スタッカ２１の紙幣回収機構および紙幣搬送ライン３を制御する制御手段２２とを、錠２３を備えた扉２４によって閉じ込めることができるようにしてある。
【０００５】
台間玉貸機２としては、遊技客の利便性を高めるために複数金種の紙幣の使用を可能にしたタイプのものが増加してきている。
【０００６】
そのため、紙幣回収装置においても金種毎に紙幣の分別回収ができるようにスタッカは複数個設置する必要があるが、スタッカを複数設置した場合にも、紙幣が例えば重なり合った状態で搬送されてきたときには金種の判別ができないために、分別回収するためのスタッカの決定ができなくなり、紙幣搬送ラインが異常を検出して自動的に停止する、などと云った問題点があった。
【０００７】
【発明が解決しようとする課題】
したがって、紙幣搬送ラインから受入れた紙幣の金種が識別できないときにも適切な対応が可能な紙幣回収装置を提供する必要があり、それが解決すべき課題となっていた。
【０００８】
【課題を解決するための手段】
本発明は、上記従来技術の課題を解決するために、
紙幣搬送装置の終端部に設置され、当該紙幣搬送装置が搬送してきた紙幣を金種毎に複数のスタッカに分別回収可能に構成された紙幣回収装置において、
前記複数のスタッカの上流側に全金種の紙幣回収が可能な予備スタッカを設け、
前記紙幣搬送装置から受け入れる紙幣の金種を識別する紙幣識別手段を前記予備スタッカの上流側に設け、
前記紙幣識別手段によって金種の識別ができなかった紙幣、および、前記複数のスタッカにおいて紙幣で満杯になったスタッカが発生したときにおける当該スタッカに収納・回収することになっている紙幣が、前記予備スタッカに収納・回収されることを特徴としている。
【０００９】
また、本発明は、紙幣搬送装置の終端部に設置され、当該紙幣搬送装置が搬送してきた紙幣を金種毎に複数のスタッカに分別回収可能に構成された紙幣回収装置において、
前記複数のスタッカの上流側に全金種の紙幣回収が可能な予備スタッカを設け、
前記紙幣搬送装置から受け入れる紙幣の金種を識別する紙幣識別手段を前記予備スタッカの上流側に設け、
前記紙幣識別手段から前記予備スタッカおよび前記複数のスタッカのそれぞれまでの搬送路のうち、前記予備スタッカまでの搬送路が最も短く、
前記複数のスタッカにおいては、回収量が多い金種の紙幣が収納・回収されるスタッカの方が、回収量が少ない金種の紙幣が収納されるスタッカよりも、前記紙幣識別手段からの搬送路が短いことを特徴としている。
【００１０】
次に、本発明の遊技島は、遊技機が横並びに配設された遊技島の端部に上記構成の紙幣回収装置が設置され、遊技機に併設された台間玉貸機が受入れた紙幣を遊技機の背面側に設置された紙幣搬送装置を介して紙幣回収装置に回収することを特徴としている。
【００１１】
【発明の実施の形態】
以下、図１〜図４に基づいて本発明の一実施形態を詳細に説明する。なお、理解を容易にするため、これらの図においても前記図５において説明した部分と同様の機能を有する部分には、同一の符号を付した。
【００１２】
図１に示したように、パチンコ遊技機の背面側などに配設する紙幣搬送ライン３の終端部に紙幣受入口２５を対応させて設置する本発明の紙幣回収装置２０は、５個のスタッカ、すなわち予備スタッカ２１Ａと、千円札を収納し回収するためのスタッカ２１Ｂと、一万円札を収納し回収するためのスタッカ２１Ｃと、五千円札を収納し回収するためのスタッカ２１Ｄと、二千円札を収納し回収するためのスタッカ２１Ｅとをその内部に備えている。
【００１３】
また、紙幣回収装置２０には、それ自体は従来周知の、紙幣Ｍの到達を検出するための例えば発光部と受光部からなる紙幣検出手段２６と、通過している紙幣Ｍの金種を例えば光の透過量などに基づいて識別するための紙幣識別手段２７とを、紙幣受入口２５とスタッカ２１との間に備えている。
【００１４】
そして、制御手段２２には、紙幣検出手段２６が紙幣Ｍの到達を検出すると紙幣識別手段２７を動作状態にして紙幣識別手段２７の部分を通過している紙幣Ｍの金種を識別し、その識別結果に基づいて、紙幣回収装置２０の図示しない紙幣搬送手段を駆動して所用のスタッカの位置まで紙幣Ｍを搬送し、そのスタッカに紙幣Ｍを収納し回収するための制御プログラムを備えている。
【００１５】
すなわち、紙幣識別手段２７が識別した紙幣Ｍが、例えば千円札であったときには、図示しない紙幣搬送手段が紙幣Ｍをスタッカ２１Ｂの位置まで搬送したときに、スタッカ２１Ｂの紙幣圧入手段２８を図面下方に移動させてその紙幣押圧面２８Ａをスタッカ２１Ｂの紙幣収納部２９まで進入させ、その紙幣収納部２９の図面下部側に設けて紙幣受板３０を図面上方に付勢しているばね部材３１を図面下方に縮退させ、これにより紙幣Ｍが紙幣受板３０の図面上方の紙幣収納部２９に進入してスタッカ２１Ｂに収納・回収されるように、制御手段２２の制御プログラムが構成されている。
【００１６】
なお、紙幣圧入手段２８を図面下方に移動させて紙幣Ｍを紙幣収納部２９に収納・回収する際に、紙幣回収装置２０の図示しない紙幣搬送手段は停止させても良いし、駆動させていても良い。
【００１７】
一方、紙幣識別手段２７が識別した紙幣Ｍが、例えば一万円札であったときには図示しない紙幣搬送手段が紙幣Ｍをスタッカ２１Ｃの位置まで搬送したときに、紙幣Ｍが五千円札であったときには図示しない紙幣搬送手段が紙幣Ｍをスタッカ２１Ｄの位置まで搬送したときに、紙幣Ｍが二千円札であったときには図示しない紙幣搬送手段が紙幣Ｍをスタッカ２１Ｅの位置まで搬送したときに、それぞれ前記千円札のときと同様に、各スタッカ２１の紙幣圧入手段２８を図面下方に移動させてその紙幣押圧面２８Ａをそのスタッカの紙幣収納部２９まで進入させ、その紙幣収納部２９の図面下部側に設けて紙幣受板３０を図面上方に付勢しているばね部材３１を図面下方に縮退させ、これにより紙幣Ｍが紙幣受板３０の図面上方の紙幣収納部２９に進入してそれぞれのスタッカに収納・回収されるようにも、制御手段２２の制御プログラムは構成されている。
【００１８】
また、紙幣Ｍが重なり合うなどして紙幣識別手段２７の部分を通過し、紙幣識別手段２７による紙幣Ｍの金種の識別ができなかったときには、図示しない紙幣搬送手段が紙幣Ｍを予備スタッカ２１Ａの位置まで搬送したときに、前記千円札などのときと同様に、予備スタッカ２１Ａの紙幣圧入手段２８を図面下方に移動させてその紙幣押圧面２８Ａを予備スタッカ２１Ａの紙幣収納部２９まで進入させ、その紙幣収納部２９の図面下部側に設けて紙幣受板３０を図面上方に付勢しているばね部材３１を図面下方に縮退させ、これにより紙幣Ｍが紙幣受板３０の図面上方の紙幣収納部２９に進入して予備スタッカ２１Ａに収納・回収されるようにも、制御手段２２の制御プログラムは構成されている。
【００１９】
さらに、収納・回収した紙幣Ｍで満杯になった紙幣収納部２９が出たときには、その紙幣収納部２９のスタッカ２１に本来は収納・回収することになっている紙幣Ｍを予備スタッカ２１Ａの紙幣収納部２９に収納・回収するようにも、制御手段２２の制御プログラムは構成されている。
【００２０】
したがって、収納・回収した紙幣Ｍで満杯になった紙幣収納部２９が出たときには、その紙幣収納部２９のスタッカ２１に本来は収納・回収することになっている紙幣Ｍが紙幣識別手段２７により識別されると、その紙幣Ｍを図示しない紙幣搬送手段が予備スタッカ２１Ａの位置まで搬送したときに、金種が識別できなかった紙幣Ｍなどのときと同様に、予備スタッカ２１Ａの紙幣圧入手段２８が図面下方に移動して紙幣Ｍを予備スタッカ２１Ａの紙幣収納部２９に収納・回収する。
【００２１】
さらに、制御手段２２には、スタッカ毎に紙幣Ｍを収納・回収した回数を図示しないホールコンピュータに送信する機能が備えられている。
【００２２】
したがって、本発明の紙幣回収装置２０によれば、紙幣識別手段２７により紙幣Ｍの金種が識別できたときには、金種が識別されたその紙幣Ｍは所定のスタッカ２１に収納・回収され、金種の識別ができなかった紙幣Ｍは予備スタッカ２１Ａに収納・回収されるので、予備スタッカ２１Ａに収納・回収された紙幣Ｍのみを主任などが確認することで、遊技島における全売上の集計が簡単に行える。
【００２３】
なお、本発明は上記実施形態に限定されるものではないので、特許請求の範囲に記載の趣旨から逸脱しない範囲で各種の変形実施が可能である。
【００２４】
例えば、紙幣回収装置２０は、図２に示すように紙幣Ｍの搬送方向を横方向に直角に１回屈曲させて、紙幣搬送ライン３における紙幣Ｍの搬送方向と直交する方向に複数のスタッカ２１を列設するようにしても良い。
【００２５】
また、紙幣Ｍの搬送路を例えば図３に示すように分岐し、その分岐部にシャッタ３２を電磁石３３などにより切換可能に設置し、分岐した搬送路の先にスタッカ２１を分散設置することも可能である。
【００２６】
さらに、図４に示すような紙幣Ｍの搬送方向を変更するための進路変更手段３４を図３の分岐した一方の搬送路などに設け、スタッカ２１を紙幣受入口２５の上側、または下側、あるいは上下に分散して設置するようにしても良い。
【００２７】
また、どのスタッカにどの金種を収納するかは基本的には自由であるが、金種が確認できない紙幣Ｍは、複数枚の紙幣Ｍが重なり合った状態で搬送されている可能性があり、したがって搬送トラブルを引き起こす可能性が高いので、搬送路が最も短い位置のスタッカに収納し、金種が識別できた紙幣Ｍについては、回収量が１番多い紙幣Ｍ（現在では千円札）を搬送路が２番目に短いスタッカに収納し、回収量が２番目に多い紙幣Ｍ（現在では一万円札）を搬送路が３番目に短いスタッカに収納すると云ったように、回収量が多い紙幣Ｍほど搬送路が短いスタッカに収納するのが、搬送トラブルの発生と搬送動力の削減を図る観点からは好ましい。
【００２８】
【発明の効果】
以上説明したように、本発明の装置においては上流側に全金種の紙幣が回収可能な予備スタッカが設けられているので、紙幣識別手段により識別できなかった紙幣はこの予備スタッカに収納し回収することができる。
【００２９】
そのため、紙幣が重なり合うなどして取り込まれ、紙幣識別手段で金種の識別ができなくても、分別回収するためのスタッカの決定ができないために紙幣搬送ラインが異常を検出して自動的に停止する、などと云った不都合は起きない。
【図面の簡単な説明】
【図１】本発明になる紙幣回収装置の一例を示す説明図である。
【図２】本発明の変形実施形態を示す説明図である。
【図３】変形実施のための要部を示す説明図である。
【図４】変形実施のための他の要部を示す説明図である。
【図５】従来例を示す説明図である。
【符号の説明】
１  パチンコ遊技機
２  台間玉貸機
３  紙幣搬送ライン
１０  パチンコ遊技島
２０  紙幣回収装置
２１、２１Ａ、２１Ｂ、２１Ｃ、２１Ｄ、２１Ｅ  スタッカ
２２  制御手段
２３  錠
２４  扉
２５  紙幣受入口
２６  紙幣検出手段
２７  紙幣識別手段
２８  紙幣圧入手段
２８Ａ  紙幣押圧面
２９  紙幣収納部
３０  紙幣受板
３１  ばね部材
３２  シャッタ
３３  電磁石
３４  進路切換手段
Ｍ  紙幣
【図１】
0004928025.tif 000002
【図２】
0004928025.tif 000003
【図３】
0004928025.tif 000004
【図４】
0004928025.tif 000005
【図５】
0004928025.tif 000006